【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
分析のためのサンプルを沈着させる方法であって、該方法は、
ａ）サンプルを分離させるために、クロマトグラフィのカラムを介して適切な溶出液を流すことと、
ｂ）該クロマトグラフィのカラムから該サンプルの溶出および分離された成分を有する溶出液を放出することであって、該溶出液は、該クロマトグラフィのカラムの放出端において液滴を形成する、ことと、
ｃ）該クロマトグラフィのカラムの該放出端から間隔を置いて配置された適切な沈着面を提供することによって、該液滴を受けることと、
ｄ）該沈着面に電圧を印加することによって、該沈着面に該液滴を引き出すことであって、該沈着面に印加される該電圧は、約１０Ｈｚ以上の周波数である、ことと
を包含する、方法。
【請求項２】
前記溶出液の流量は、制御プロセッサと組み合わさった流量計によって制御され、該溶出液の流量は、測定および制御されることによって、該流量の連続的な制御を提供する、請求項１に記載の方法。
【請求項３】
前記溶出液の流量は、２つの流体の流れの混合であり、各流体の流量は、制御プロセッサと組み合わさったそれぞれの流量計によって制御される、請求項１または２に記載の方法。
【請求項４】
分析のための複数のサンプルを沈着させる方法であって、該方法は、
ａ）それぞれの複数のクロマトグラフィのカラムを介して適切な溶出液を流すことであって、各カラムはサンプルを分離させるためのものである、ことと、
ｂ）該複数のクロマトグラフィのカラムから、該サンプルの溶出および分離された成分を有する該溶出液を放出することであって、該溶出液は、該それぞれのクロマトグラフィのカラムの放出端において液滴を形成する、ことと、
ｃ）該クロマトグラフィのカラムの該放出端から間隔を置いて配置された、少なくとも１つの適切な沈着面を提供することによって、該液滴を受けることと、
ｄ）該沈着面に電圧を印加することによって、該沈着面に該液滴を引き出すことであって、該沈着面に印加される該電圧は、約１０Ｈｚ以上の周波数である、ことと
を包含する、方法。
【請求項５】
複数の空気圧ポンプが提供され、少なくとも１つのポンプは、各クロマトグラフィのカラムのそれぞれと関連付けられている、請求項４に記載の方法。
【請求項６】
各クロマトグラフィのカラムに対する溶出液の流量は、制御プロセッサと組み合わさったそれぞれの流量計によって制御され、各クロマトグラフィのカラムのそれぞれに対する該溶出液の流量は、独立して測定および制御されることによって、各カラムに対する流量の継続的な制御を提供する、請求項４または５に記載の方法。
【請求項７】
各クロマトグラフィのカラムに対する各溶出液の流量は、２つの流体の流れを混合することによって提供され、各流体の流量は、制御プロセッサと組み合わさったそれぞれの流量計によって制御される、請求項４〜６のうちのいずれか一項に記載の方法。
【請求項８】
前記電圧は、約１ｋＨｚを含めて約１ｋＨｚまでの周波数において前記沈着面に印加される、請求項１〜７のうちのいずれか一項に記載の方法。
【請求項９】
少なくとも１つの空気圧ポンプが、前記クロマトグラフィのカラムを介して適切な溶出液を流すために用いられる、請求項１〜４または６〜８に記載の方法。
【請求項１０】
前記流体の流れのうちの少なくとも１つは、水である、請求項３または７に記載の方法。
【請求項１１】
前記流体の流れの他方は、溶媒である、請求項１０に記載の方法。
【請求項１２】
前記電圧は、前記沈着面に印加され、その結果として、連続した液滴が、該沈着面の対応するターゲット位置に引き出される、請求項１〜１１のうちのいずれか一項に記載の方法。
【請求項１３】
前記沈着面は、前記クロマトグラフィのカラムの前記放出端に関して移動可能である、請求項１２に記載の方法。
【請求項１４】
前記サンプルにマトリックスを導入することをさらに包含し、該マトリックスは、マトリックス支援レーザー脱離イオン化における使用に適している、請求項１〜１３のうちのいずれか一項に記載の方法。
【請求項１５】
分析のためのサンプルを準備する装置であって、該装置は、
ａ）適切な溶出液を用いてサンプルを受けるクロマトグラフィのカラムと、
ｂ）該クロマトグラフィのカラムを介して該溶出液を流すポンプと、
ｃ）適切な沈着面であって、該沈着面は、該クロマトグラフィのカラムの放出端から間隔を置いて配置されることによって、該クロマトグラフィのカラムを介する溶出液の流れによってその該端において形成される液滴を受ける、沈着面と、
ｄ）該沈着面に電圧を生成することによって該沈着面に該液滴を引き出す電源であって、該沈着面に印加される該電圧は、約１０Ｈｚ以上の周波数である、電源と
を備えている、装置。
【請求項１６】
前記電圧は、約１ｋＨｚを含めて約１ｋＨｚまでの周波数において前記沈着面に印加される、請求項１５に記載の装置。
【請求項１７】
前記ポンプは、空気駆動式の圧力増幅ポンプである、請求項１５または１６に記載の装置。
【請求項１８】
前記ポンプは、流量計と制御プロセッサとを備えることによって、前記溶出液の流量の継続的な制御を提供する、請求項１５〜１７のうちのいずれか一項に記載の装置。
【請求項１９】
前記ポンプは、前記クロマトグラフィのカラムの体積よりも大きな体積の溶出液を保持するように寸法を取られた圧力ソースを備えている、請求項１５〜１８のうちのいずれか一項に記載の装置。
【請求項２０】
前記電源は、前記沈着面に電圧を印加させ、その結果として、連続的な液滴が、該沈着面上の対応するターゲット位置に引き出される、請求項１５〜１９のうちのいずれか一項に記載の装置。
【請求項２１】
前記沈着面は、前記クロマトグラフィのカラムの前記放出端に関して移動可能である、請求項２０に記載の装置。
【請求項２２】
前記クロマトグラフィのカラムに噴霧ガスを導入させるネブライザーをさらに備え、該ネブライザーは、溶出液が放出されると、該溶出液の流れを噴霧する、請求項１５〜２１のうちのいずれか一項に記載の装置。
【請求項２３】
前記噴霧ガスは、非反応ガスである、請求項２２に記載の装置。
【請求項２４】
前記非反応ガスは、窒素である、請求項２３に記載の装置。
【請求項２５】
前記溶出液にマトリックスを導入するマトリックス供給システムをさらに備え、該マトリックスは、マトリックス支援レーザー脱離イオン化における使用に適している、請求項１５〜２４のうちのいずれか一項に記載の装置。
【請求項２６】
前記マトリックス供給システムは、前記溶出液が噴霧化される前に、該溶出液にマトリックスを供給する、請求項２５に記載の装置。
【請求項２７】
分析のために複数のサンプルを準備する装置であって、該装置は、
ａ）適切な溶出液を用いてサンプルを受ける複数のクロマトグラフィのカラムと、
ｂ）複数のポンプであって、各ポンプは各クロマトグラフィのカラムと関連付けられており、該ポンプは、該クロマトグラフィのカラムを介して該溶出液を流し、該ポンプは、流量計と制御プロセッサとをさらに備えることによって、該溶出液の流量の継続的な制御を提供する、複数のポンプと、
ｃ）少なくとも１つの適切な沈着面であって、該沈着面は、該それぞれのクロマトグラフィのカラムの複数の放出端から間隔を置いて配置され、該少なくとも１つの適切な沈着面は、該それぞれのクロマトグラフィのカラムを介する溶出液の流れによってその該端において形成される液滴を受ける、沈着面と、
ｄ）該沈着面に電圧を生成することによって該沈着面に該液滴を引き出す、少なくとも１つの電源であって、該沈着面に印加される該電圧は、約１０Ｈｚ以上の周波数である、電源と
を備えている、装置。
【請求項２８】
前記ポンプは、流量計と制御プロセッサとをさらに含むことによって、前記溶出液の流量の継続的な制御を提供する、請求項２７に記載の装置。
【請求項２９】
前記少なくとも１つの沈着面は、前記クロマトグラフィのカラムの前記放出端に関して移動可能である、請求項２７または２８に記載の装置。
【請求項３０】
前記それぞれのクロマトグラフィのカラムに前記噴霧ガスを導入するネブライザーをさらに備え、該ネブライザーは、該複数のクロマトグラフィのカラムに接続された第１の多岐管を備えることによって該クロマトグラフィのカラムに該噴霧ガスを導入し、該ネブライザーは、溶出液が放出される際に、該溶出液の流れを噴霧化する、請求項２７〜２９のうちのいずれか一項に記載の装置。
【請求項３１】
使用に依存して、液滴の沈着を介するかまたは噴霧化によって、分析のための複数のサンプルを準備するシステムであって、該システムは、
ａ）適切な溶出液を用いて少なくとも１つのサンプルを受ける、複数のクロマトグラフィのカラムと、
ｂ）複数のポンプであって、各ポンプは、各クロマトグラフィのカラムと関連付けられている、複数のポンプと、
ｃ）該複数のクロマトグラフィのカラムに噴霧ガスを導入するネブライザーであって、該ネブライザーは、溶出液が放出される際に、該溶出液の流れを噴霧化する、ネブライザーと、
ｄ）該放出された噴霧化した溶出液を受けるための少なくとも１つの適切な沈着面であって、該複数のクロマトグラフィのカラムからの該放出された噴霧化した溶出液は、該少なくとも１つの適切な沈着面において複数のクロマトグラムのそれぞれを生成する、沈着面と、
ｅ）該沈着面に電圧を生成することによって該沈着面に液滴を引き出す少なくとも１つの電源であって、該沈着面に印加される該電圧は、約１０Ｈｚ以上の周波数である、電源と
を備えている、システム。
【請求項３２】
前記電圧は、約１ｋＨｚを含むまでの周波数において前記沈着面に印加される、請求項２７〜３１のいずれか一項に記載の装置またはシステム。
【請求項３３】
前記電源は、前記沈着面に電圧を印加し、その結果として、連続的な液滴が、該沈着面上の対応するターゲット位置に引き出される、請求項２７〜３２のいずれか一項に記載の装置またはシステム。
【請求項３４】
前記クロマトグラフィのカラムを介して前記溶出液を流す前記ポンプは、流量計と制御プロセッサとをさらに含むことによって、該溶出液の流量の継続的な制御を提供する、請求項２７〜３３のいずれか一項に記載の装置またはシステム。
【請求項３５】
前記ポンプは、空気駆動式の圧力増幅ポンプである、請求項２７〜３４のいずれか一項に記載の装置またはシステム。
【請求項３６】
前記ポンプは、前記それぞれのクロマトグラフィのカラムの体積よりも大きな体積の溶出液を保持するように寸法を取られた圧力ソースをさらに含む、請求項２７〜３５のいずれか一項に記載のシステム。
【請求項３７】
前記ネブライザーは、前記複数のクロマトグラフィのカラムに接続された第１の多岐管を含むことによって、該それぞれのクロマトグラフィのカラムに前記噴霧ガスを導入する、請求項２７〜３６のいずれか一項に記載のシステム。
【請求項３８】
前記第１の多岐管は、Ｔ字バルブによって前記複数のクロマトグラフィのカラムに接続されている、請求項３０または３７に記載のシステム。
【請求項３９】
それぞれのＴ字バルブに動作可能なように接続された複数の沈着細管をさらに備えることによって、前記複数のクロマトグラフィのカラムのそれぞれから噴霧化した溶出液を放出する、請求項３８に記載のシステム。
【請求項４０】
前記ネブライザーは、ポンプをさらに含むことによって、前記複数のクロマトグラフィのカラムに前記噴霧ガスを供給する、請求項３０〜３９のいずれか一項に記載のシステム。
【請求項４１】
前記ポンプは、空気ポンプを含む、請求項４０に記載のシステム。
【請求項４２】
前記噴霧ガスは、非反応ガスである、請求項３０〜４１のうちのいずれか一項に記載のシステム。
【請求項４３】
前記非反応ガスは、窒素である、請求項４２に記載のシステム。
【請求項４４】
マトリックス供給システムをさらに備え、該マトリックス供給システムは、前記複数のクロマトグラフィのカラムに接続された第２の多岐管を含み、該第２の多岐管は、前記溶出液にマトリックスを導入し、該マトリックスは、マトリックス支援レーザー脱離イオン化における使用に適している、請求項２７〜４３のうちのいずれか一項に記載のシステム。
【請求項４５】
前記第２の多岐管は、Ｔ字バルブによって前記複数のクロマトグラフィのカラムに接続されている、請求項４４に記載のシステム。
【請求項４６】
前記第２の多岐管は、複数のクロマトグラフィのカラムのそれぞれに動作可能なように接続されることによって、前記溶出液が噴霧化される前に前記マトリックスを供給する、請求項４４または４５のいずれか一項に記載のシステム。
【請求項４７】
前記マトリックス供給システムは、ポンプをさらに含むことによって、前記複数のクロマトグラフィのカラムに前記マトリックスを供給する、請求項４４〜４６のうちのいずれか一項に記載のシステム。
【請求項４８】
前記ポンプは、シリンジポンプである、請求項４７に記載のシステム。
【請求項４９】
前記ポンプは、連続流ポンプである、請求項４７または４８に記載のシステム。
【請求項５０】
前記少なくとも１つの沈着面を受けるトランスレーションステージをさらに備え、該トランスレーションステージは、前記複数のクロマトグラフィのカラムに関して移動が可能であり、その結果として、生成された前記複数のクロマトグラムは、互いに平行になる、請求項２７〜４９のうちのいずれか一項に記載のシステム。
【請求項５１】
前記少なくとも１つの沈着面は、前記トランスレーションステージ上の沈着アレイにおいて配列された複数のプレートである、請求項５０に記載のシステム。